(57)【要約】      （修正有）【課題】画像形成動作時にシートが感光ドラムを通過したときの、シートと感光ドラムとの位置関係を再現し易くするドラムユニットを提供する。【解決手段】感光ドラムと、前記感光ドラムを支持するフレームと、シートに形成された照合部５０あるいは前記シートの端部が画像形成動作時に前記感光ドラムを通過する際の前記感光ドラム軸線方向の位置に対向して設けられている位置合わせ部５２と、前記感光ドラムの画像形成領域の境界よりも外側の前記フレーム上から延びる第１部分５１Ｌと、前記第１部分５１Ｌに端部を支持され前記感光ドラム軸線方向に延びる第２部分５１Ｂとからなり、前記照合部５０あるいは前記シートの端部を前記位置合わせ部５２に対向させながら前記第２部分５１Ｂと前記感光ドラムとの間を前記感光ドラム軸線直交方向に通過させることを可能とするガイド部材５１とを備える。【選択図】図１０ａ
2014182320.tif 000002
【特許請求の範囲】
【請求項１】
感光ドラムと、
前記感光ドラムを支持するフレームと、
シートに形成された照合部あるいはシートの端部が画像形成動作時に前記感光ドラムを通過する際の前記感光ドラム軸線方向の位置に対向して設けられている位置合わせ部と、
前記感光ドラムの画像形成領域の境界よりも外側の前記フレーム上から延びる第１部分と、前記感光ドラム軸線方向に延びる第２部分であって前記第１部分に第２部分の端部を支持される前記第２部分とからなり、前記照合部あるいは前記シートの端部を前記位置合わせ部に対向させながら前記第２部分と前記感光ドラムとの間を前記感光ドラム軸線直交方向に通過させることを可能とするガイド部材と、を備える、ドラムユニット。
【請求項２】
前記ガイド部材は、画像形成動作時に前記シートが通過する経路外に設けられる請求項１に記載のドラムユニット。
【請求項３】
前記位置合わせ部は、前記ガイド部材もしくは前記フレーム上に記されているマークである請求項１または２に記載のドラムユニット。
【請求項４】
前記第２部分は、いずれか一方の前記第２部分の端部のみを前記第１部分に支持される請求項１から３のいずれかに記載のドラムユニット。
【請求項５】
前記第２部分上には、前記感光ドラム軸線方向について目盛りが記されている請求項１から４のいずれかに記載のドラムユニット。
【請求項６】
前記ガイド部材を前記フレームの表面下に収納する収納部を備える、請求項１から５のいずれかに記載のドラムユニット。
【請求項７】
前記第２部分の前記感光ドラム軸線方向から見た断面の一部は曲面である、請求項１から６のいずれかに記載のドラムユニット。
【請求項８】
請求項１から７のいずれかに記載の前記ドラムユニットと、
前記ドラムユニットを着脱可能な装置本体と、
前記感光ドラムを含み、前記シートに画像形成動作を行う画像形成部と、を備える画像形成装置。
【請求項９】
感光ドラムと、
前記感光ドラムを支持するフレームと、
シートに形成された照合部あるいは前記シートの端部が画像形成動作時に前記感光ドラムを通過する際の前記感光ドラム軸線方向の位置に対向して設けられている位置合わせ部と、
前記感光ドラムの画像形成領域の境界よりも外側の前記フレーム上から延びる第１部分と、前記第１部分に端部を支持され前記感光ドラム軸線方向に延びる第２部分とからなるガイド部材と、を備えたドラムユニットを用いて、画像形成動作時に前記シートが前記感光ドラムを通過したときの、前記シートと前記感光ドラムとの位置関係を再現する位置関係再現方法であって、
前記照合部あるいは前記シートの端部と前記位置合わせ部とを対向させるステップと、
前記照合部あるいは前記シートの端部を前記位置合わせ部に対向させながら前記第２部分と前記感光ドラムとの間を前記感光ドラム軸線直交方向に通過させるステップと、からなることを特徴とする、位置関係再現方法。
【発明の詳細な説明】
【技術分野】
【０００１】
本発明は、ドラムユニット、画像形成装置および位置関係再現方法に関する。
【背景技術】
【０００２】
レーザプリンタにおいては、感光ドラムの表面にトナーが固着することがある。感光ドラムの表面上に固着したトナーは、画像形成動作時にシートに付着して、シートに汚点を生じるおそれがある。
【０００３】
例えば特許文献１には、ドラムユニットの感光ドラムと対向する部分に、感光ドラムの軸線方向について領域を分割する分割領域の表示を与え、与えた分割領域と同様の印刷パターンをシートに印刷するものが開示されている。このような構成によれば、シートに印刷した印刷パターンとドラムユニットの分割領域とを照らし合わせることで、画像形成動作時にシートが感光ドラムを通過したときの、シートと感光ドラムとの位置関係を再現することができる。したがってシート上の汚点の位置に対応する感光ドラム上のトナーの固着位置を特定し易くし、ひいては固着したトナーの除去をし易くしている。
【先行技術文献】
【特許文献】
【０００４】
【特許文献１】特開2011-154317号公報
【発明の概要】
【発明が解決しようとする課題】
【０００５】
しかしながら上記従来例では、分割領域と同様の印刷パターンを印刷しなければ、画像形成動作時にシートが感光ドラムを通過したときの、シートと感光ドラムとの位置関係を再現し難くなる。
【０００６】
本発明は上述した問題点を解決するためになされたものであり、画像形成動作時にシートが感光ドラムを通過したときの、シートと感光ドラムとの位置関係を再現し易くするものである。
【課題を解決するための手段】
【０００７】
この目的を達成するためになされた本発明のドラムユニットは、感光ドラムと、前記感光ドラムを支持するフレームと、シートに形成された照合部あるいはシートの端部が画像形成動作時に前記感光ドラムを通過する際の前記感光ドラム軸線方向の位置に対向して設けられている位置合わせ部と、前記感光ドラムの画像形成領域の境界よりも外側の前記フレーム上から延びる第１部分と、前記感光ドラム軸線方向に延びる第２部分であって前記第１部分に第２部分の端部を支持される前記第２部分とからなり、前記照合部あるいは前記シートの端部を前記位置合わせ部に対向させながら前記第２部分と前記感光ドラムとの間を前記感光ドラム軸線直交方向に通過させることを可能とするガイド部材と、を備えることを特徴とする。
【０００８】
このようにすれば、画像形成動作時にシートが感光ドラムを通過したときの、シートと感光ドラムとの位置関係を再現し易くすることができる。
【０００９】
また、前記ガイド部材は、画像形成動作時に前記シートが通過する経路外に設けられるものであってもよい。
【００１０】
このようにすれば、画像形成動作時にシートが感光ドラムを通過したときの、シートと感光ドラムとの位置関係を再現し易くすることができる事に加え、ガイド部材が画像形成動作時のシートの通過を妨げる可能性を低減することができる。
【００１１】
また、前記位置合わせ部は、前記ガイド部材もしくは前記フレーム上に記されているマークであってもよい。
【００１２】
また、前記第２部分は、いずれか一方の前記第２部分の端部のみを前記第１部分に支持されるものであってもよい。
【００１３】
このようにすれば、画像形成動作時にシートが感光ドラムを通過したときの、シートと感光ドラムとの位置関係を再現し易くすることができる事に加え、第１部分を形成するのに必要な材料を、両方の第２部分の端部が第１部分に支持される場合に比べて低減できる。
【００１４】
また、前記第２部分上には、前記感光ドラム軸線方向について目盛りが記されているものであってもよい。
【００１５】
このようにすれば、シートと感光ドラムとの位置関係をより再現し易くすることができる。
【００１６】
また、前記ガイド部材を前記フレームの表面下に収納する収納部を備えるものであってもよい。
【００１７】
このようにすれば、画像形成動作時にシートが感光ドラムを通過したときの、シートと感光ドラムとの位置関係を再現し易くすることができる事に加え、ガイド部材をフレーム表面下に収納可能とすることで、ドラムユニットの大型化を抑制することが出来る。
【００１８】
また、前記第２部分の前記感光ドラム軸線方向から見た断面の一部は曲面であるものであってもよい。
【００１９】
このようにすれば、第２部分と感光ドラムとの間を感光ドラムの軸線直交方向にシートを通過させる際に、シートをガイド部材に沿わせ易くし、画像形成動作時にシートが感光ドラムを通過したときの、シートと感光ドラムとの位置関係を再現し易くすることができる。
また、この目的を達成するためになされた本発明の画像形成装置は、前記ドラムユニットと、前記ドラムユニットを着脱可能な装置本体と、前記感光ドラムを含み、前記シートに画像形成動作を行う画像形成部と、を備えることを特徴とする。
【００２０】
このような画像形成装置によれば、画像形成動作時にシートが感光ドラムを通過したときの、シートと感光ドラムとの位置関係を再現し易くすることができる。
【００２１】
また、この目的を達成するためになされた本発明の位置関係再現方法は、感光ドラムと、前記感光ドラムを支持するフレームと、シートに形成された照合部あるいは前記シートの端部が画像形成動作時に前記感光ドラムを通過する際の前記感光ドラム軸線方向の位置に対向して設けられている位置合わせ部と、前記感光ドラムの画像形成領域の境界よりも外側の前記フレーム上から延びる第１部分と、前記第１部分に端部を支持され前記感光ドラム軸線方向に延びる第２部分とからなるガイド部材と、を備えたドラムユニットを用いて、画像形成動作時に前記シートが前記感光ドラムを通過したときの、前記シートと前記感光ドラムとの位置関係を再現する位置関係再現方法であって、
前記照合部あるいは前記シートの端部と前記位置合わせ部とを対向させるステップと、前記照合部あるいは前記シートの端部を前記位置合わせ部に対向させながら前記第２部分と前記感光ドラムとの間を前記感光ドラム軸線直交方向に通過させるステップと、からなることを特徴とする。
【００２２】
このような位置関係再現方法によれば、画像形成動作時にシートが感光ドラムを通過したときの、シートと感光ドラムとの位置関係を再現し易くすることができる。
【発明の効果】
【００２３】
本発明によれば、画像形成動作時にシートが感光ドラムを通過したときの、シートと感光ドラムとの位置関係を再現し易くすることができる。
【図面の簡単な説明】
【００２４】
【図１】本発明に係るドラムユニット１９を備えたプリンタ１の概略構成を示す側断面図である。
【図２】プリンタ１の電気的構成を概略的に示すブロック図である。
【図３】（ａ）は用紙３の左下に印刷マーク５０を画像形成したチェックシートＳを概略的に示す平面図であり、（ｂ）は用紙３の左上に印刷マーク５０を画像形成したチェックシートＳを概略的に示す平面図である。
【図４ａ】本発明に係るドラムユニット１９の第１実施例における概略構成を示す斜視図である。
【図４ｂ】本発明に係るドラムユニット１９の第１実施例における概略構成を示す側面図およびチェックシートＳの挿入方向を示す概略図である。
【図４ｃ】本発明に係るドラムユニット１９の第１実施例における概略構成を示す正面図である。
【図５ａ】本発明に係るドラムユニット１９の第３実施例における概略構成を示す斜視図である。
【図５ｂ】本発明に係るドラムユニット１９の第３実施例における概略構成を示す側面図およびチェックシートＳの挿入方向を示す概略図である。
【図５ｃ】本発明に係るドラムユニット１９の第３実施例における概略構成を示す正面図である。
【図６ａ】本発明に係るドラムユニット１９の第４実施例における概略構成を示す斜視図である。
【図６ｂ】本発明に係るドラムユニット１９の第４実施例における概略構成を示す側面図およびチェックシートＳの挿入方向を示す概略図である。
【図６ｃ】本発明に係るドラムユニット１９の第４実施例における概略構成を示す正面図である。
【図７ａ】本発明に係るドラムユニット１９の第５実施例における概略構成を示す斜視図である。
【図７ｂ】本発明に係るドラムユニット１９の第５実施例における概略構成を示す側面図およびチェックシートＳの挿入方向を示す概略図である。
【図７ｃ】本発明に係るドラムユニット１９の第５実施例における概略構成を示す正面図である。
【図８ａ】本発明に係るドラムユニット１９の第６実施例における概略構成を示す斜視図である。
【図８ｂ】本発明に係るドラムユニット１９の第６実施例における概略構成を示す側面図およびチェックシートＳの挿入方向を示す概略図である。
【図８ｃ】本発明に係るドラムユニット１９の第６実施例における概略構成を示す正面図である。
【図８ｄ】本発明に係るドラムユニット１９の第６実施例におけるガイド部材５１を可動部５４Ａ、５４Ｂを可動させ収納部２１Ｂに収納／収納部２１Ｂから引き出した際の概略図である。
【図９ａ】チェックシートＳを印刷マーク５０の形成面を上向きにしてガイド部材５１に通した場合の概略構成を示す斜視図である。
【図９ｂ】チェックシートＳを印刷マーク５０の形成面を上向きにしてガイド部材５１に通した場合の概略構成を示す側面図である。
【図９ｃ】チェックシートＳを印刷マーク５０の形成面を上向きにしてガイド部材５１に通した場合の概略構成を示す正面図である。
【図１０ａ】チェックシートＳを印刷マーク５０の形成面を下向きにしてガイド部材５１に通し、折り返した場合の概略構成を示す斜視図である。
【図１０ｂ】チェックシートＳを印刷マーク５０の形成面を下向きにしてガイド部材５１に通し、折り返した場合の概略構成を示す側面図である。
【図１０ｃ】チェックシートＳを印刷マーク５０の形成面を下向きにしてガイド部材５１に通し、折り返した場合の概略構成を示す正面図である。
【発明を実施するための形態】
【００２５】
以下では、本発明の実施形態について、添付図面を参照しながら詳細に説明する。
【００２６】
（第１実施例）
（１）プリンタの全体構成
図１は、本発明のドラムユニットを備えた画像形成装置の一例である、ドラムユニット１９を備えたプリンタ１の概略構成を示す側断面図である。本プリンタ１は４色（ブラックＫ、イエローＹ、マゼンタＭ、シアンＣ）のトナーを用いてカラー画像を形成するダイレクトタンデム式のＬＥＤカラープリンタである。以下の説明においては、図１における左側を前方とする。また、図１において、各色間で同一の構成部品については、適宜符号を省略する。
【００２７】
なお、画像形成装置は、ＬＥＤカラープリンタに限られず、例えば、レーザカラープリンタ、あるいはカラープリンタ機能に加え、コピー機能およびＦＡＸ機能を備えた複合機等であってもよい。また、画像形成装置は、レーザモノクロプリンタ等であってもよい。
【００２８】
プリンタ１は、本体ケーシング２（装置本体の一例）を備えており、その上面には開閉可能なカバー２Ａが設けられている。また、本体ケーシング２内の底部には、複数の用紙３（シートの一例）を積載可能な供給トレイ４が設けられている。供給トレイ４の前端上方にはピックアップローラ５が設けられている。ピックアップローラ５の回転に伴って供給トレイ４内の最上位に積載された用紙３は給紙されてレジストローラ６に向けて搬送される。レジストローラ６まで搬送された用紙３は、レジストローラ６によって搬送ベルト１３上へ搬送され、搬送ベルト１３によって後方に搬送される。
【００２９】
搬送ベルト１３の上方には、４つのドラムユニット１９Ｃ〜１９Ｋと、各ドラムユニット１９に対応した露光部１７とが前後方向に並んで設けられている。
【００３０】
搬送ベルト１３の内側には、各ドラムユニット１９Ｃ〜１９Ｋ（ドラムユニットの一例）の感光ドラム２８（感光ドラムの一例）と搬送ベルト１３を挟んで対向する位置に、転写ローラ１４がそれぞれ設けられている。
【００３１】
ドラムユニット１９、露光部１７および転写ローラ１４は、それぞれ一つずつで各画像形成部２０（画像形成部の一例）を構成しており、プリンタ１全体では、ブラックＫ、イエローＹ、マゼンタＭ、シアンＣの各色に対応した４つの画像形成部２０Ｋ〜２０Ｃが設けられている。
【００３２】
各露光部１７は、カバー２Ａの下面に支持されており、その下端部に複数のＬＥＤが一列に並んで設けられたＬＥＤヘッド１８を備えている。各露光部１７Ｃ〜１７Ｋは、形成すべき画像データに基づいて感光ドラム２８の露光を行う。
【００３３】
各ドラムユニット１９は、フレーム２１（フレームの一例）と、フレーム２１に対し着脱可能に装着される現像カートリッジ２２と、ガイド部材５１（ガイド部材の一例）と、を備えている。カバー２Ａを開放すると、各露光部１７がカバー２Ａと共に上方に退避して、各ドラムユニット１９が本体ケーシング２に対して個別に着脱可能となる。
【００３４】
現像カートリッジ２２は、現像剤である各色のトナーを収容するトナー収容室２３、および図示しない供給ローラ、現像ローラ等を備え、供給ローラ、現像ローラ等により正帯電されたトナーは現像ローラによって担持され、感光ドラム２８に供給される。
【００３５】
フレーム２１の下部には、表面が、例えば正帯電性の感光層によって覆われた感光ドラム２８と、図示しないスコロトロン型の帯電器とが設けられている。
【００３６】
画像形成動作時には、感光ドラム２８が回転駆動され、それに伴って感光ドラム２８の表面が帯電器により一様に正帯電される。そして、その正帯電された部分が露光部１７の走査により露光されて、感光ドラム２８の表面に静電潜像が形成される。
【００３７】
次いで、トナー収容室２３から現像ローラ上に担持され正帯電されているトナーが感光ドラム２８表面の静電潜像に供給され、これにより感光ドラム２８の静電潜像が可視像化される。
【００３８】
その後、各感光ドラム２８の表面上に担持されたトナー像は、用紙３が感光ドラム２８と転写ローラ１４との間の各ニップ位置を通過する間に、用紙３上に順次転写される。トナー像が転写された用紙３は、次に定着器３１に搬送され、そこでトナー像が熱定着され、その後、その用紙３は上方へ搬送され、カバー２Ａの上面に排出される。すなわち用紙３は、画像形成動作時において、搬送経路Ｒ（経路の一例）を通過する。
【００３９】
なお、ガイド部材５１は、ドラムユニット１９が本体ケーシング２に装着されている状態において、画像形成動作時に用紙３が通過する搬送経路Ｒ外に設けられている。より具体的にはガイド部材５１は、用紙３が搬送ベルト１３を通過する際の搬送経路Ｒよりも上方に位置するよう設けられている。
【００４０】
（２）プリンタの電気的構成
図２は、プリンタ１の電気的構成を概略的に示すブロック図である。
【００４１】
プリンタ１は、図２に示すように、ＣＰＵ４０（制御部の一例）、ＲＯＭ４１、ＲＡＭ４２、ＮＶＲＡＭ（不揮発性メモリ）４３、ネットワークインターフェイス（以下、「ネットワークＩ／Ｆ」と称す）４４を備える。これらに画像形成部２０Ｃ〜２０Ｋ、操作部４６および駆動モータ４７等が接続されている。
【００４２】
ＲＯＭ４１には、このプリンタ１の動作を実行するためのプログラムが記憶されている。ＣＰＵ４０は、ＲＯＭ４１から読み出したプログラムに従って、その処理結果をＲＡＭ４２またはＮＶＲＡＭ４３に記憶させながら、画像形成部２０等の、画像形成動作に係る帯電、露光、現像、転写、定着等の各部の制御を行う。また、ＣＰＵ４０は、後述するマーク形成処理を実行する。
【００４３】
ＲＡＭ４２は、画像形成動作時において形成すべき画像データを格納している。
【００４４】
ＮＶＲＡＭ４３は、プログラムで使用する制御パラメータやカウンタ等を格納している。
【００４５】
ネットワークＩ／Ｆ４４は、通信回線を介して外部のコンピュータ（図示しない）等に接続され、相互のデータ通信が可能となっている。これにより、プリンタ１は、画像形成動作時において形成すべき画像データをネットワークＩ／Ｆを介して受信し、ＲＡＭ４２に格納する。
【００４６】
操作部４６は、複数のボタンを備え、ユーザにより各種の入力操作が可能である。
【００４７】
駆動モータ４７は、複数のモータからなり、図示しないギア機構を介して、ピックアップローラ５、レジストローラ６、搬送ベルト１３、感光ドラム２８、および定着器３１等を回転駆動させる。
【００４８】
（３）チェックシート
図３（ａ）は紙面左下に印刷マーク５０（照合部の一例）を画像形成した用紙３を概略的に示す平面図であり、（ｂ）は紙面左上に印刷マーク５０を画像形成した用紙３を概略的に示す平面図である。
【００４９】
なお図３において、用紙３は紙面下側に向けて搬送されるものとする。
【００５０】
プリンタ１は画像形成モードとメンテナンスモードとを有し、例えば、ユーザによる操作部４６の操作によって画像形成モードからメンテナンスモードに切り換えることができる。
【００５１】
メンテナンスモードにおいて、ＣＰＵ４０は、図３（ａ）、（ｂ）に示すように、ＲＡＭ４２に格納されている印刷マーク５０の画像データを用紙３に画像形成する画像形成動作であるマーク形成処理を行うことができる。
【００５２】
マーク形成処理は、ガイド部材５１が後述の露出部２１Ａの感光ドラム２８回転方向上流側に設けられているか下流側に設けられているか、および、後述のガイドマーク５２がガイド部材５１上に設けられているかフレーム２１上に設けられているかにより、図３（ａ）もしくは（ｂ）のいずれか一方の画像形成を行う。
【００５３】
印刷マーク５０は、図３（ａ）、（ｂ）に示すように、たとえば用紙３に形成される長方形状の記号である。
【００５４】
印刷マーク５０は、用紙３搬送直交方向について、マーク形成処理時に用紙３が感光ドラム２８を通過する際に後述のガイドマーク５２と対向する位置に形成される。
【００５５】
印刷マーク５０は、用紙３搬送方向について、図３（ａ）のように紙面下側もしくは図３（ｂ）のように紙面上側のいずれかの位置に形成される。
【００５６】
印刷マーク５０が画像形成された用紙３を以下、「チェックシートＳ」という。
【００５７】
（４）ドラムユニット
図４ａは本発明に係るドラムユニット１９の第１実施例における概略構成を示す斜視図である。
【００５８】
図４ｂは本発明に係るドラムユニット１９の第１実施例における概略構成を示す側面図およびチェックシートＳの挿入方向を示す概略図である。
【００５９】
図４ｃは本発明に係るドラムユニット１９の第１実施例における概略構成を示す正面図である。
【００６０】
なお、図４ａ〜図８ｄを参照した説明においては、ドラムユニット１９を本体ケーシング２から取り出して、その底面を上方に向けた状態で前側から見たときを左右の基準とする。
【００６１】
図４ａ、図４ｂ、図４ｃに示すように、ドラムユニット１９は感光ドラム２８およびガイド部材５１を備えている。
【００６２】
感光ドラム２８は、フレーム２１内部にあり、フレーム２１に構成される露出部２１Ａによりその一部が露出している。
【００６３】
感光ドラム２８は、左右方向に回転軸２８Ａが延びており、ドラムギヤ２８Ｂによって、回転軸２８Ａを中心としてドラムギヤ２８Ｂに描かれた矢印の方向に回転することができる。
【００６４】
感光ドラム２８は、境界２８Ｌおよび境界２８Ｒ（境界の一例）によって、画像形成動作の際に使用される画像形成領域（画像形成領域の一例）が定められている。より具体的には、感光ドラム２８表面上の、回転軸２８Ａの軸線方向（左右方向）（感光ドラム軸線方向の一例）の境界２８Ｌから境界２８Ｒまでの領域を画像形成領域とする。なお、画像形成領域の左右方向の幅は、ドラムユニット１９によって画像形成が可能な最大サイズの用紙３の幅と同一もしくはそれ以上である。
【００６５】
また、境界２８Ｌ及び境界２８Ｒの外側とは、境界２８Ｌ及び境界２８Ｒを上下及び前後方向に延長して考えた場合の外側である。すなわち、感光ドラム２８表面上の境界２８Ｌよりも左側および境界２８Ｒよりも右側だけではなく、境界２８Ｌをフレーム２１上に延長して考えた場合のフレーム２１上の左側の領域や、境界２８Ｒをフレーム上に延長して考えた場合のフレーム２１上の右側の領域が、境界２８Ｌ及び境界２８Ｒの外側に含まれる。
【００６６】
ガイド部材５１は、露出部２１Ａの感光ドラム２８回転方向上流側の、感光ドラム２８に対向する位置のフレーム２１上に設けられている。
【００６７】
ガイド部材５１は樹脂からなり、画像形成領域の境界２８Ｌをフレーム２１上に延長して考えた場合の左側のフレーム２１上から延びる第１の部分５１Ｌ（第１部分の一例）および境界２８Ｒをフレーム２１上に延長して考えた場合の右側のフレーム２１上から延びる第１の部分５１Ｒ（第１部分の一例）と、第１の部分５１Ｌ、５１Ｒに端部（第２部分の端部の一例）を支持され回転軸２８Ａの軸線方向（左右方向）に延びる第２の部分５１Ｂ（第２部分の一例）とから形成されている。なお、第１実施例においては、第１の部分５１Ｌ、５１Ｒと第２の部分５１Ｂとは継ぎ目無く構成されている。
【００６８】
第１の部分５１Ｌ、５１Ｒは、図４ｃに示すように、用紙３が通過する側（ガイド部材５１の内側）についてはフレーム２１に対して垂直方向に延びており、用紙３が通過する反対側（ガイド部材５１の外側）については斜め上方向に延びている。
【００６９】
第２の部分５１Ｂは、棒状に形成されており、図４ｂに示すように、回転軸２８Ａの軸線方向（左右方向）から見た断面は台形である。
【００７０】
ガイド部材５１には図４ａに示すように三角形状の記号であるガイドマーク５２（位置合わせ部及びマークの一例）が設けられている。
【００７１】
ガイドマーク５２は、回転軸２８Ａの軸線方向（左右方向）の位置について、用紙３がマーク形成処理時に感光ドラム２８を通過する際の印刷マーク５０の形成位置に対向するように設けられている。
【００７２】
（５）ドラムユニットのメンテナンス
図９ａはチェックシートＳを印刷マーク５０の形成面を上向きにしてガイド部材５１に通した場合の概略構成を示す斜視図である。
【００７３】
図９ｂはチェックシートＳを印刷マーク５０の形成面を上向きにしてガイド部材５１に通した場合の概略構成を示す側面図である。
【００７４】
図９ｃはチェックシートＳを印刷マーク５０の形成面を上向きにしてガイド部材５１に通した場合の概略構成を示す正面図である。
【００７５】
カバー２Ａの上面に排出された用紙３に、汚点（所望しないトナー像）が形成された場合等には、ドラムユニット１９のメンテナンスを行う。
【００７６】
まず、ユーザはプリンタ１をメンテナンスモードに切り替え、ＣＰＵ４０はマーク形成処理を実行し、図３（ａ）のように用紙３の紙面左下に印刷マーク５０を画像形成したチェックシートＳを作成する。
【００７７】
作成したチェックシートＳを参照し、チェックシートＳに生じた汚点の色を確認し、メンテナンスを行う感光ドラム２８を特定する。
【００７８】
そして、図１を参照して、ユーザはプリンタ１のカバー２Ａを開放し、メンテナンスを行いたい感光ドラム２８を備えたドラムユニット１９を本体ケーシング２内から取り出し、取り出したドラムユニット１９から現像カートリッジ２２を取り外す。そして、ドラムユニット１９の上面が下側となるように、すなわち、ガイド部材５１が上側となるように、ドラムユニット１９を反転させる。
【００７９】
その後、図４ｂ、図９ａ、図９ｂおよび図９ｃに示すように、ユーザは印刷マーク５０を形成した面を上向きにして、チェックシートＳを紙面下側から、ガイド部材５１の第２の部分５１Ｂとフレーム２１との間に差し込む。
【００８０】
そして、ユーザはガイド部材５１上のガイドマーク５２とチェックシートＳ上の印刷マーク５０とを回転軸２８Ａの方向（左右方向）について対向させることで、チェックシートＳを回転軸２８Ａの方向（左右方向）について画像形成動作時の位置に位置合わせしながら、ガイド部材５１の第２の部分５１Ｂとフレーム２１との間を感光ドラム２８の回転面に沿って（すなわち回転軸２８Ａに対して直交する方向（感光ドラム軸線直交方向の一例）に）通過させる。
【００８１】
チェックシートＳを通過させながら、チェックシートＳに生じた汚点に対応する感光ドラム２８の位置を特定する。
【００８２】
その後、ドラムギヤ２８Ｂに描かれた矢印の方向に従って感光ドラム２８を回転させつつ、特定した位置の感光ドラム２８の周面を確認する。
【００８３】
感光ドラム２８の周面に除去対象物（固着したトナーなど）を確認することが出来た場合には、感光ドラム２８の周面を綿棒などで清掃することにより、除去対象物を除去する。
【００８４】
その後、チェックシートＳを取り外し、上記とは逆の手順でドラムユニット１９を本体ケーシング２内に収容する。
【００８５】
＜作用効果＞
以上記載の実施例によれば、ユーザはガイドマーク５２およびガイド部材５１によって、画像形成動作時に用紙３が感光ドラム２８を通過する際の回転軸２８Ａの方向について用紙３を位置合わせしながら、回転軸２８Ａに対して直交する方向に通過させることができる。このため、画像形成動作時に用紙３が感光ドラム２８を通過したときの、用紙３と感光ドラム２８との位置関係を再現し易くすることができる。したがって、用紙３上の汚点を見逃し難くしながら、感光ドラム２８のトナー固着位置の確認を容易にすることができる。
【００８６】
また、画像形成動作時に用紙３が感光ドラム２８を通過したときの、用紙３と感光ドラム２８との位置関係を再現し易くすることができる事に加え、画像形成動作時に用紙３が通過する経路外にガイド部材５１を設けることで、ガイド部材５１が画像形成動作時の用紙３の通過を妨げる可能性を低減することができる。
【００８７】
（第２実施例）
次に図３、図１０ａ、図１０ｂ、図１０ｃを参照して、第２実施例を説明する。なお記載の無い点については、第１実施例と同一であるとする。
【００８８】
図１０ａはチェックシートＳを印刷マーク５０の形成面を下向きにしてガイド部材５１に通し、折り返した場合の概略構成を示す斜視図である。
【００８９】
図１０ｂはチェックシートＳを印刷マーク５０の形成面を下向きにしてガイド部材５１に通し、折り返した場合の概略構成を示す側面図である。
【００９０】
図１０ｃはチェックシートＳを印刷マーク５０の形成面を下向きにしてガイド部材５１に通し、折り返した場合の概略構成を示す正面図である。
【００９１】
ガイドマーク５２は、図１０ａ、図１０ｂ、図１０ｃに示すように、ガイド部材５１近傍のフレーム２１上に設けられている。
【００９２】
ドラムユニット１９のメンテナンス時には、ＣＰＵ４０はマーク形成処理を実行し、図３（ｂ）のように用紙３の紙面左上に印刷マーク５０を画像形成したチェックシートＳを作成する。
【００９３】
そして、ユーザは第１実施例と同様にメンテナンスを行いたい感光ドラム２８を備えたドラムユニット１９を本体ケーシング２から取り出し、現像カートリッジ２２を取り外し、ガイド部材５１が上側となるように、ドラムユニット１９を反転させた後、図１０ａ、図１０ｂ、図１０ｃに示すように、印刷マーク５０を形成した面を下向きにして、チェックシートＳを紙面上側から、ガイド部材５１の第２の部分５１Ｂとフレーム２１との間に差し込む。
【００９４】
その後、図１０ａ、図１０ｂ、図１０ｃのように、ユーザはチェックシートＳをガイド部材５１側に折り返し、フレーム２１上のガイドマーク５２と、上側に向いた印刷マーク５０とを回転軸２８Ａの方向（左右方向）について対向させることで、チェックシートＳを回転軸２８Ａの方向（左右方向）について画像形成動作時の位置に位置合わせしながら、チェックシートＳを、ガイド部材５１の第２の部分５１Ｂとフレーム２１との間を感光ドラム２８の回転面に沿って（すなわち、回転軸２８Ａに対して直交する方向に）通過させる。
【００９５】
その際第１実施例と同様にチェックシートＳに生じた汚点に対応する感光ドラム２８の位置を特定し、感光ドラム２８の周面を清掃することにより、除去対象物を除去する。そしてチェックシートＳを取り外し、ドラムユニット１９を本体ケーシング２から取り出した際とは逆の手順でドラムユニット１９を本体ケーシング２内に収容する。
【００９６】
＜作用効果＞
以上記載の実施例によれば、ユーザは画像形成動作時に用紙３が感光ドラム２８を通過したときの、用紙３と感光ドラム２８との位置関係を再現し易くすることができる。したがって、用紙３上の汚点を見逃し難くしながら、感光ドラム２８のトナー固着位置の確認を容易にすることができる。
【００９７】
（第３実施例）
次に図３、図５ａ、図５ｂ、図５ｃ、図１０ａ、図１０ｂ、図１０ｃを参照して、第３実施例を説明する。なお、記載の無い点については、第２実施例と同一であるとする。
【００９８】
図５ａは本発明に係るドラムユニット１９の第３実施例における概略構成を示す斜視図である。
【００９９】
図５ｂは本発明に係るドラムユニット１９の第３実施例における概略構成を示す側面図およびチェックシートＳの挿入方向を示す概略図である。
【０１００】
図５ｃは本発明に係るドラムユニット１９の第３実施例における概略構成を示す正面図である。
【０１０１】
ガイド部材５１は、図５ａ、図５ｂ、図５ｃに示すように、露出部２１Ａの感光ドラム２８回転方向下流側の、感光ドラム２８に対向する位置のフレーム２１上に設けられている。
【０１０２】
ガイドマーク５２は、図５ａに示すように、ガイド部材５１近傍のフレーム２１上に設けられている。
【０１０３】
ドラムユニット１９のメンテナンス時には、ＣＰＵ４０はマーク形成処理を実行し、図３（ａ）のように用紙３の紙面左下に印刷マーク５０を画像形成したチェックシートＳを作成する。
【０１０４】
そして、ガイド部材５１が上側となるように、ドラムユニット１９を反転させた後、図５ｂ、図１０ａ、図１０ｂおよび図１０ｃのようにして、印刷マーク５０を形成した面を下向きにして、チェックシートＳを紙面下側から、ガイド部材５１の第２の部分５１Ｂとフレーム２１との間に差し込む。
【０１０５】
そして、チェックシートＳをガイド部材５１側に折り返し、フレーム２１上のガイドマーク５２と、上側に向いた印刷マーク５０とを回転軸２８Ａの方向（左右方向）について対向させることで、チェックシートＳを回転軸２８Ａの方向について画像形成動作時の位置に位置合わせしながら、チェックシートＳを、ガイド部材５１の第２の部分５１Ｂとフレーム２１との間を感光ドラム２８の回転面に沿って（すなわち、回転軸２８Ａに対して直交する方向に）通過させる。
【０１０６】
その際第２実施例と同様にチェックシートＳに生じた汚点に対応する感光ドラム２８の位置を特定し、感光ドラム２８の周面を清掃することにより、除去対象物を除去する。そしてチェックシートＳを取り外し、ドラムユニット１９を本体ケーシング２から取り出した際とは逆の手順でドラムユニット１９を本体ケーシング２内に収容する。
【０１０７】
＜作用効果＞
以上記載の実施例によれば、画像形成動作時に用紙３が感光ドラム２８を通過したときの、用紙３と感光ドラム２８との位置関係を再現し易くすることができる。したがって、用紙３上の汚点を見逃し難くしながら、感光ドラム２８のトナー固着位置の確認を容易にすることができる。
【０１０８】
（第４実施例）
次に図３、図６ａ、図６ｂ、図６ｃ、図１０ａ、図１０ｂ、図１０ｃを参照して、第３実施例を説明する。なお、記載の無い点については、第２実施例と同一であるとする。
【０１０９】
図６ａは本発明に係るドラムユニット１９の第４実施例における概略構成を示す斜視図である。
【０１１０】
図６ｂは本発明に係るドラムユニット１９の第４実施例における概略構成を示す側面図およびチェックシートＳの挿入方向を示す概略図である。
【０１１１】
図６ｃは本発明に係るドラムユニット１９の第４実施例における概略構成を示す正面図である。
【０１１２】
ガイド部材５１は、図６ａ、図６ｂ、図６ｃに示すように、露出部２１Ａの感光ドラム２８回転方向上流側の、感光ドラム２８に対向する位置のフレーム２１上に設けられている。
【０１１３】
ガイド部材５１は、図６ａ、図６ｂ、図６ｃに示すように、境界２８Ｌをフレーム２１上に延長して考えた場合の左側のフレーム２１上から延びる第１の部分５１Ｌと、第１の部分５１Ｌに端部を支持され回転軸２８Ａの軸線方向（左右方向）に延びる第２の部分５１Ｂとから形成されている。
【０１１４】
第２の部分５１Ｂの回転軸２８Ａの方向（左右方向）から見た断面は、図６ｂに示すように下部が曲面になっている。
【０１１５】
ガイドマーク５２は、図６ａに示すように、ガイド部材５１の近傍のフレーム２１上に設けられている。
【０１１６】
ドラムユニット１９のメンテナンス時には、ＣＰＵ４０はマーク形成処理を実行し、図３（ｂ）のように用紙３の紙面左上に印刷マーク５０を画像形成したチェックシートＳを作成する。
【０１１７】
そして、ガイド部材５１が上側となるように、ドラムユニット１９を反転させた後、図６ｂ、図１０ａ、図１０ｂおよび図１０ｃのようにして、印刷マーク５０を形成した面を下向きにして、チェックシートＳを紙面上側から、ガイド部材５１の第２の部分５１Ｂとフレーム２１との間に差し込む。
【０１１８】
そして、チェックシートＳの紙面上側をガイド部材５１側に折り返し、フレーム２１上のガイドマーク５２と、上側に向いた印刷マーク５０とを回転軸２８Ａの方向（左右方向）について対向させることで、チェックシートＳを回転軸２８Ａの方向（左右方向）について画像形成動作時の位置に位置合わせしながら、チェックシートＳを、ガイド部材５１の第２の部分５１Ｂとフレーム２１との間を感光ドラム２８の回転面に沿って（すなわち、回転軸２８Ａに対して直交する方向に）通過させる。
【０１１９】
その際第２実施例と同様にチェックシートＳに生じた汚点に対応する感光ドラム２８の位置を特定し、感光ドラム２８の周面を清掃することにより、除去対象物を除去する。そしてチェックシートＳを取り外し、ドラムユニット１９を本体ケーシング２から取り出した際とは逆の手順でドラムユニット１９を本体ケーシング２内に収容する。
【０１２０】
＜作用効果＞
以上記載の実施例によれば、画像形成動作時に用紙３が感光ドラム２８を通過したときの、用紙３と感光ドラム２８との位置関係を再現し易くすることができる事に加え、第２の部分５１Ｂの左側の端部のみが第１の部分５１Ｌに支持されるようにガイド部材５１を形成することで、両方の第２の部分５１Ｂの端部が第１の部分５１Ｌ、５１Ｒに支持される場合に比べて第１の部分を形成するのに必要な材料を低減できる。また、第１の部分５１Ｒを設けないことにより、境界２８Ｒ側からの用紙３の抜き差しが容易となり、ユーザの利便性を高めることができる。
【０１２１】
また、第２の部分５１Ｂの回転軸２８Ａの方向（左右方向）から見た断面の下部を曲面とすることで、用紙３を第２の部分５１Ｂに沿わせ易くし、画像形成動作時に用紙３が感光ドラム２８を通過したときの、用紙３と感光ドラム２８との位置関係を再現し易くすることができる。
【０１２２】
（第５実施例）
次に図３、図７ａ、図７ｂ、図７ｃ、図９ａ、図９ｂ、図９ｃを参照して、第５実施例を説明する。なお、記載の無い点については、第１実施例と同一であるとする。
【０１２３】
図７ａは本発明に係るドラムユニット１９の第５実施例における概略構成を示す斜視図である。
【０１２４】
図７ｂは本発明に係るドラムユニット１９の第５実施例における概略構成を示す側面図およびチェックシートＳの挿入方向を示す概略図である。
【０１２５】
図７ｃは本発明に係るドラムユニット１９の第５実施例における概略構成を示す正面図である。
【０１２６】
ガイド部材５１は、図７ａ、図７ｂ、図７ｃに示すように、露出部２１Ａの感光ドラム２８回転方向上流側の、感光ドラム２８に対向する位置のフレーム２１上に設けられている。
【０１２７】
ガイド部材５１の表面には、図７ａ、図７ｂ、図７ｃに示すように、回転軸２８Ａの方向（左右方向）について領域を分割する目盛り５３（目盛りの一例）が等間隔に複数設けられている。より具体的に、目盛り５３は、第２の部分５１Ｂの表面上を８つの領域に分割するように設けられている。
【０１２８】
なお、目盛り５３は不定間隔に設けられていてもよい。また、８つ以外の領域に分割するように設けられていてもよい。
【０１２９】
また、図７ａに示すように、ガイド部材５１の表面にはガイドマーク５２が設けられている。
【０１３０】
ドラムユニット１９のメンテナンス時には、ＣＰＵ４０はマーク形成処理を実行し、図３（ａ）のように用紙３の紙面左下に印刷マーク５０を画像形成したチェックシートＳを作成する。
【０１３１】
そして、ガイド部材５１が上側となるように、ドラムユニット１９を反転させた後、図７ｂ、図９ａ、図９ｂおよび図９ｃに示すように、ユーザは印刷マーク５０を形成した面を上向きにして、チェックシートＳを紙面下側から、ガイド部材５１の第２の部分５１Ｂとフレーム２１との間に差し込む。
【０１３２】
そして、ユーザはガイド部材５１上のガイドマーク５２とチェックシートＳ上の印刷マーク５０とを回転軸２８Ａの方向（左右方向）について対向させることで、チェックシートＳを回転軸２８Ａの方向（左右方向）について画像形成動作時の位置に位置合わせしながら、ガイド部材５１の第２の部分５１Ｂとフレーム２１との間を感光ドラム２８の回転面に沿って（すなわち回転軸２８Ａに対して直交する方向に）通過させる。
【０１３３】
チェックシートＳを通過させながら、チェックシートＳに生じた汚点に対応する感光ドラム２８の位置を特定し、対応する目盛り５３の位置を記憶または記録等しておく。
【０１３４】
その後、ドラムギヤ２８Ｂに描かれた矢印の方向に従って感光ドラム２８を回転させつつ、記憶または記録等しておいた目盛り５３の位置に対応する感光ドラム２８の周面を確認する。
【０１３５】
感光ドラム２８の周面に除去対象物（固着したトナーなど）を確認することが出来た場合には、感光ドラム２８の周面を綿棒などで清掃することにより、除去対象物を除去する。
【０１３６】
その後、チェックシートＳを取り外し、上記とは逆の手順でドラムユニット１９を本体ケーシング２内に収容する。
【０１３７】
＜作用効果＞
以上記載の実施例によれば、目盛り５３を確認することで、用紙３と感光ドラム２８との位置関係をより正確に把握することができる。また、目盛り５３を等間隔に複数設けることで、目盛り５３が不定間隔に設けられている、あるいは、目盛り５３が少なく設けられている場合よりも、用紙３と感光ドラム２８との位置関係をより正確に把握することができる。したがって、用紙３上の汚点を見逃し難くしながら、感光ドラム２８のトナー固着位置の確認をより容易にすることができる。
【０１３８】
（第６実施例）
次に図３、図８ａ、図８ｂ、図８ｃ、図８ｄ、図９ａ、図９ｂ、図９ｃを参照して、第６実施例を説明する。なお、記載の無い点については、第１実施例と同一であるとする。
【０１３９】
図８ａは本発明に係るドラムユニット１９の第６実施例における概略構成を示す斜視図である。
【０１４０】
図８ｂは本発明に係るドラムユニット１９の第６実施例における概略構成を示す側面図およびチェックシートＳの挿入方向を示す概略図である。
【０１４１】
図８ｃは本発明に係るドラムユニット１９の第６実施例における概略構成を示す正面図である。
【０１４２】
図８ｄは本発明に係るドラムユニット１９の第６実施例におけるガイド部材５１を可動部５４Ａ、５４Ｂを可動させ収納部２１Ｂに収納／収納部２１Ｂから引き出した際の概略図である。
【０１４３】
ガイド部材５１は、図８ａ、図８ｂ、図８ｃに示すように、露出部２１Ａの感光ドラム２８回転方向上流側の、感光ドラム２８に対向する位置のフレーム２１上に設けられている。
【０１４４】
ガイド部材５１は、図８ａ、図８ｂ、図８ｃに示すように、境界２８Ｌをフレーム２１上に延長して考えた場合の左側のフレーム２１上から延びる第１の部分５１Ｌと、第１の部分５１Ｌに端部を支持され回転軸２８Ａの軸線方向（左右方向）に延びる第２の部分５１Ｂとから形成されている。
【０１４５】
また、図８ｄに示すように、第１の部分５１Ｌはフレーム２１に対して可動部５４Ａによって回動可能に設けられており、第２の部分５１Ｂは第１の部分５１Ｌに対して可動部５４Ｂによって回動可能に設けられている。これらの回動によって、図８（ｄ）右のように、ガイド部材５１をフレーム２１表面に設けられた凹部である収納部２１Ｂ（収納部の一例）内に収納することができる。
【０１４６】
なお、ガイド部材５１をフレーム２１表面下へ収納可能とするための構成はこのようでなくてもよい。例えば、図８ｄ左のような形状のままフレーム２１内に収納／フレーム２１内から引き出し可能な構成であってもよい。
【０１４７】
第２の部分５１Ｂは、図８ａ、図８ｂ、図８ｃに示すように、板状に形成されている。
【０１４８】
また、図８ａに示すように、ガイド部材５１の表面にはガイドマーク５２が設けられている。
【０１４９】
ドラムユニット１９のメンテナンス時には、ＣＰＵ４０はマーク形成処理を実行し、図３（ａ）のように用紙３の紙面左下に印刷マーク５０を画像形成したチェックシートＳを作成する。
【０１５０】
そして、ガイド部材５１が上側となるように、ドラムユニット１９を反転させた後、図８ｂ、図９ａ、図９ｂおよび図９ｃに示すように、ユーザは印刷マーク５０を形成した面を上向きにして、チェックシートＳを紙面下側から、図８ｄ左のようにセットしたガイド部材５１の第２の部分５１Ｂとフレーム２１との間に差し込む。
【０１５１】
そして、ユーザはガイド部材５１上のガイドマーク５２とチェックシートＳ上の印刷マーク５０とを回転軸２８Ａの方向（左右方向）について対向させることで、チェックシートＳを回転軸２８Ａの方向（左右方向）について画像形成動作時の位置に位置合わせしながら、ガイド部材５１の第２の部分５１Ｂとフレーム２１との間を感光ドラム２８の回転面に沿って（すなわち回転軸２８Ａに対して直交する方向に）通過させる。
【０１５２】
その際第１実施例と同様にチェックシートＳに生じた汚点に対応する感光ドラム２８の位置を特定し、感光ドラム２８の周面を清掃することにより、除去対象物を除去する。そしてチェックシートＳを取り外し、図８ｄ右のようにガイド部材５１を収納部２１Ｂ内に収納し、ドラムユニット１９を本体ケーシング２から取り出した際とは逆の手順でドラムユニット１９を本体ケーシング２内に収容する。
【０１５３】
＜作用効果＞
以上記載の実施例によれば、画像形成動作時に用紙３が感光ドラム２８を通過したときの、用紙３と感光ドラム２８との位置関係を再現し易くすることができる事に加え、ガイド部材５１を、フレーム２１表面下に収納可能とすることで、ドラムユニット１９の大型化を抑制することができる。
【０１５４】
（その他の実施例）
（１）上記実施例では、ユーザによる操作を、操作部４６を介して受け付けたが、ネットワークＩ／Ｆ４４を介して外部のコンピュータ等からユーザによる操作を受け付けるような構成であってもよい。
【０１５５】
（２）上記実施例では、印刷マーク５０として長方形状の記号、ガイドマーク５２として三角形状の記号を用いたが、例えば、印刷マーク５０も、三角形状の記号などとしてもよい。また、印刷マーク５０およびガイドマーク５２ともに長方形、三角形以外の記号などでもよい。
【０１５６】
（３）上記実施例では、ドラムユニット１９のメンテナンス時にチェックシートＳを通過させる経路は、画像形成動作時に用紙３を通過させる搬送経路Ｒのうち感光ドラム２８周辺の経路とは異なる経路であったが、２つの経路は同じ経路であってもよい。すなわち、ガイド部材５１は、画像形成動作時に用紙３を搬送する搬送経路Ｒの一部として設けられていてもよい。このようにすれば、ガイド部材５１は、画像形成動作時において用紙３の搬送部材を兼ねることができる。
【０１５７】
（４）上記実施例では、ガイドマーク５２を位置合わせ部とし、用紙３に印刷マーク５０を画像形成したチェックシートＳを作成し、印刷マーク５０とガイドマーク５２とを対向させることによって、チェックシートＳを回転軸２８Ａ方向（左右方向）について画像形成動作時の位置に位置合わせを行っていたが、例えば、用紙３の幅と同等の幅を持った画像形成領域の境界２８Ｌまたは２８Ｒの、すぐ外側に設けられた第１の部分５１Ｌまたは５１Ｒを位置合わせ部として位置合わせを行う構成であってもよい。すなわち第１の部分５１Ｌまたは５１Ｒの用紙３が通過する側（ガイド部材５１の内側）が、境界２８Ｌまたは２８Ｒをフレーム上に延長した場合の線に沿うような位置に設けられ、第１の部分５１Ｌまたは５１Ｒに用紙３の搬送直交方向の端部（シートの端部の一例）を突き当てることで用紙３を回転軸２８Ａ方向（左右方向）について画像形成動作時の位置に位置合わせするような構成であってもよい。このような構成によれば、印刷マーク５０を形成することなしに、画像形成動作時に用紙３が感光ドラム２８を通過したときの、用紙３と感光ドラム２８との位置関係を再現し易くすることができる。
【０１５８】
あるいは、画像形成動作時に用紙３の搬送直交方向の端部が前記感光ドラム２８を通過する際の回転軸２８Ａ方向（左右方向）の位置に対向して設けられるガイドマーク５２を位置合わせ部とし、用紙３の搬送直交方向の端部と対向させることによって、回転軸２８Ａ方向（左右方向）について画像形成動作時の位置に位置合わせするような構成であってもよい。このような構成によれば、印刷マーク５０を形成することなしに、画像形成動作時に用紙３が感光ドラム２８を通過したときの、用紙３と感光ドラム２８との位置関係を再現し易くすることができる。
【０１５９】
（５）上記実施例では、ガイド部材５１は露出部２１Ａの感光ドラム２８回転方向上流もしくは下流側に設けられていたが、露出部２１Ａによって露出している感光ドラム２８の直上にあってもよい。すなわち、ガイド部材５１は、感光ドラム２８が露出している部分周辺の、感光ドラム２８と対向する位置に設けられていればよい。
【０１６０】
（６）上記実施例では、チェックシートＳの印刷マーク５０は、図３のように、ガイド部材５１が後述の露出部２１Ａの感光ドラム２８回転方向上流側に設けられているか下流側に設けられているか、および、後述のガイドマーク５２がガイド部材５１上に設けられているかフレーム２１上に設けられているかにより、長方形状の記号を紙面上もしくは下に形成する構成となっていたが、ガイド部材５１およびガイドマーク５２の位置によらず上下一方に形成する構成であってもよい。また、上記実施例では、１つの実施例に対して、１パターンの印刷マーク５０を印刷していたが、数パターンの印刷マーク５０を備える構成であってもよい。そしてどの印刷マーク５０を形成するかをユーザに選択させるような構成であってもよい。
【０１６１】
（７）上記実施例では、第１の部分５１Ｌまたは５１Ｒは、用紙３が通過する側（ガイド部材５１の内側）についてはフレーム２１に対して垂直方向に延びていたが、用紙３が通過する反対側（ガイド部材５１の外側）と同じように、斜め上方向に延びるような構成であってもよい。
【０１６２】
（８）上記実施例では、ガイド部材５１を、フレーム２１表面に設けられた凹部である収納部２１Ｂによってフレーム２１表面下に収納可能であったが、フレーム２１内への収納時においてガイド部材５１の一部がフレーム２１表面上に出ているような構成であってもよい。
【符号の説明】
【０１６３】
１  プリンタ
２  本体ケーシング
３  用紙
４  供給トレイ
５  ピックアップローラ
６  レジストローラ
１３  搬送ベルト
１４  転写ローラ
１７  露光部
１９  ドラムユニット
２１  フレーム
２８  感光ドラム
５０  印刷マーク
５１  ガイド部材
５２  ガイドマーク
５３  目盛り
５４  可動部
【図１】
2014182320.tif 000003
【図２】
2014182320.tif 000004
【図３】
2014182320.tif 000005
【図４ａ】
2014182320.tif 000006
【図４ｂ】
2014182320.tif 000007
【図４ｃ】
2014182320.tif 000008
【図５ａ】
2014182320.tif 000009
【図５ｂ】
2014182320.tif 000010
【図５ｃ】
2014182320.tif 000011
【図６ａ】
2014182320.tif 000012
【図６ｂ】
2014182320.tif 000013
【図６ｃ】
2014182320.tif 000014
【図７ａ】
2014182320.tif 000015
【図７ｂ】
2014182320.tif 000016
【図７ｃ】
2014182320.tif 000017
【図８ａ】
2014182320.tif 000018
【図８ｂ】
2014182320.tif 000019
【図８ｃ】
2014182320.tif 000020
【図８ｄ】
2014182320.tif 000021
【図９ａ】
2014182320.tif 000022
【図９ｂ】
2014182320.tif 000023
【図９ｃ】
2014182320.tif 000024
【図１０ａ】
2014182320.tif 000025
【図１０ｂ】
2014182320.tif 000026
【図１０ｃ】
2014182320.tif 000027